(57)【要約】【課題】電子レンジで手軽に且つ十分に殺菌処理することができ、無電極放電バルブは保護されて安全で、被処理物を衛生的に且つ簡単に取り扱うことができる殺菌装置を提供する。【解決手段】紫外線を被処理物１に照射することで殺菌処理を行う殺菌装置において、マイクロ波が照射されることにより紫外線を放出する無電極放電バルブ２と、この無電極放電バルブ２を支持するバルブ支持部３と、被処理物１の被処理面が同無電極放電バルブ２の紫外線放出面と対向するようにこの被処理物１を保持する保持部４と、を有し、マイクロ波を透過させる材料で形成されて内部にバルブ支持部３を有した容器５を備え、この容器５を開閉自在に結合される二つの略器状体５ａ、５ｂに分割形成し、両略器状体５ａ、５ｂの内部各々に被処理物１ａ、１ｂを個別に保持する保持部４ａ、４ｂを配設した。【選択図】          図１
2004154340.tif 000002
【特許請求の範囲】
【請求項１】
紫外線を被処理物の被処理面に照射することにより被処理面の殺菌処理を行う殺菌装置であって、マイクロ波が照射されることによりこのマイクロ波のエネルギーを受けて紫外線を放出する物質を内部に収容した無電極放電バルブと、この無電極放電バルブを支持するバルブ支持部と、被処理物の被処理面が同無電極放電バルブの紫外線放出面と対向するようにこの被処理物を保持する保持部と、を有しており、マイクロ波を透過させる材料で形成されて内部に前記バルブ支持部を有した容器を備え、この容器を開閉自在に結合される二つの略器状体に分割形成し、両略器状体の内部各々に被処理物を個別に保持する前記保持部を配設してなる殺菌装置。
【請求項２】
紫外線を透過させない材料で容器を形成したことを特徴とする請求項１記載の殺菌装置。
【請求項３】
容器を上下に二つの略器状体に分割形成したことを特徴とする請求項１又は２記載の殺菌装置。
【請求項４】
下側の略器状体の底部に排水孔を形成したことを特徴とする請求項３記載の殺菌装置。
【請求項５】
両略器状体の内底部の略中央各々にバルブ支持部で支持される無電極放電バルブを配設し、この無電極放電バルブを被処理物が覆う状態でこの被処理物を保持する保持部を同バルブ支持部の周囲に形成したことを特徴とする請求項１〜４のいずれか一つに記載の殺菌装置。
【請求項６】
無電極放電バルブを有し、別の被処理物に取着され、この被処理物の被処理面に紫外線を照射することにより同被処理面の殺菌処理を行う補助殺菌装置を備え、この補助殺菌装置を容器の内部に出し入れ自在に収容したことを特徴とする請求項１〜５のいずれか一つに記載の殺菌装置。
【請求項７】
容器の内部中程にバルブ支持部で支持される無電極放電バルブを設け、この無電極放電バルブに複数の被処理物が対向配置された状態で各被処理物を個別に保持する保持部を配設したことを特徴とする請求項１〜３のいずれか一つに記載の殺菌装置。
【発明の詳細な説明】
【０００１】
【発明の属する技術分野】
本発明は、一般家庭にある電子レンジ等のマイクロ波発生装置を用いて、紫外線による被処理物の殺菌処理を行う殺菌装置に関するものである。
【０００２】
【従来の技術】
従来から、特開２００２−１９１６７８号公報に示される如く、電子レンジを用いて紫外線による被処理物の殺菌処理を行う殺菌装置は知られている。このものは、図１６に示す如く、紫外線を被処理物１の被処理面に照射することにより被処理面の殺菌処理を行う殺菌装置であって、マイクロ波が照射されることによりこのマイクロ波のエネルギーを受けて紫外線を放出する物質を内部に収容した無電極放電バルブ２と、この無電極放電バルブ２を支持するホルダー３４と、を有しており、同被処理物１は哺乳瓶であってその殺菌ランプに係るものである。
【０００３】
この場合、無電極放電バルブ２は少なくとも紫外線を透過する小径ガラス管に希少ガス及び水銀を封入してなり、電子レンジのマイクロ波によって殺菌に適した波長の紫外線を周囲に向けて放出するものである。又、ホルダー３４は被処理物１である哺乳瓶の本体１ｃ開口に係止され、無電極放電バルブ２を同本体１ｃ内に吊り下げ保持するものである。そして、被処理物１は哺乳瓶の本体１ｃと乳首具１ｄとでなり、無電極放電バルブ２をこの哺乳瓶の本体１ｃ内に吊り下げ保持し、同乳首具１ｄを取り付け同本体１ｃ開口を塞いだ状態として殺菌処理が行われる。
【０００４】
したがって、この場合、前記の如く、哺乳瓶の本体１ｃ内に無電極放電バルブ２をホルダー３４で吊り下げ保持し、この状態で乳首具１ｄにより同本体１ｃ開口を塞いで、これを電子レンジ内に収容設置してやると、この電子レンジ内で照射されるマイクロ波により同無電極放電バルブ２は殺菌に適した波長の紫外線を周囲に向けて放出し、同電子レンジを利用して簡単且つ確実に同哺乳瓶（本体１ｃ、乳首具１ｄ）の被処理面となる内面の殺菌処理を行うことができる。
【０００５】
【特許文献１】
特開２００２−１９１６７８号公報
【０００６】
【発明が解決しようとする課題】
しかしながら、上記従来の技術にあっては、無電極放電バルブ２がホルダー３４によって哺乳瓶の本体１ｃ内に吊り下げ保持されるものであるため、この哺乳瓶の本体１ｃ内で同無電極放電バルブ２は振れ動き易く、しかも、被処理物１となる同哺乳瓶を保持する保持部を有しないものとなっている。それ故、被処理物１となる哺乳瓶は保持されることなく不安定な状態で電子レンジ内に収容設置されるだけで、特に、この電子レンジがターンテーブル式であると倒れ易く、又、無電極放電バルブ２を同哺乳瓶の本体１ｃ内に出し入れする際等にも、同無電極放電バルブ２は傷ついたり破損したりする恐れがあった。
【０００７】
更に、被処理物１となる哺乳瓶が保持されることなく不安定な状態で電子レンジ内に収容設置され、この哺乳瓶の本体１ｃ内で無電極放電バルブ２は振れ動き易いものであることから、この無電極放電バルブ２の紫外線放出面（外面）と同被処理物１の被処理面（哺乳瓶の内面）との相対的な位置関係が不安定となり、両者の位置関係は変化し易いものとなって、殺菌処理が不十分となる可能性を有するものであった。
【０００８】
又、殺菌処理を行った後、電子レンジ内から取り出す際に、殺菌処理された被処理物１に直接手が触れてこれを持ち出す必要があり、非衛生的な取り出し動作となるものであった。しかも、殺菌処理を行う際には被処理物１となる哺乳瓶の本体１ｃに乳首具１ｄを取り付けて、処理後には同乳首具１ｄを本体１ｃから取り外すという面倒な作業を要し、この処理後の作業も同本体１ｃと乳首具１ｄとを手で持って分割するものであり非衛生的となるものであった。そして、被処理物１となる哺乳瓶の内部から取り出された無電極放電バルブ２は、ホルダー３４が付属しているものの露出することになるので、破損する恐れもあって取り扱い難く、保管面での安全性に問題を有するものであった。
【０００９】
本発明は、上記従来の技術における問題を悉く解決するために発明されたもので、その課題は、一般家庭にある電子レンジ等を用いて手軽に且つ十分に被処理物の殺菌処理を行うことができ、又、無電極放電バルブは保護されて安全で、しかも、殺菌処理後に被処理物を衛生的に且つ簡単に取り扱うことができる殺菌装置を提供することである。
【００１０】
【課題を解決するための手段】
本発明の請求項１記載の殺菌装置は、紫外線を被処理物の被処理面に照射することにより被処理面の殺菌処理を行う殺菌装置であって、マイクロ波が照射されることによりこのマイクロ波のエネルギーを受けて紫外線を放出する物質を内部に収容した無電極放電バルブと、この無電極放電バルブを支持するバルブ支持部と、被処理物の被処理面が同無電極放電バルブの紫外線放出面と対向するようにこの被処理物を保持する保持部と、を有しており、マイクロ波を透過させる材料で形成されて内部に前記バルブ支持部を有した容器を備え、この容器を開閉自在に結合される二つの略器状体に分割形成し、両略器状体の内部各々に被処理物を個別に保持する前記保持部を配設してなるものである。
【００１１】
したがって、この場合、被処理物の被処理面が無電極放電バルブの紫外線放出面と対向するようにこの被処理物を保持する保持部を有しているので、同被処理面と紫外線放出面との相対的な位置関係は安定的に保持され、この状態で電子レンジ内に収容設置することができる。それ故に、一般家庭にある電子レンジ等を用いて、手軽に且つ十分に被処理物の殺菌処理を行うことができる。
【００１２】
しかも、容器の内部に無電極放電バルブを支持するバルブ支持部が設けられるので、この無電極放電バルブは同容器内で保護されて安全であり、取り扱い易いものとなる。更に、容器はマイクロ波を透過させる材料で形成され、この容器の内部に、被処理物を保持する保持部が設けられるので、マイクロ波は同容器を透過して無電極放電バルブに到達し、この無電極放電バルブから紫外線が放出されて、同容器の内部で確実に且つ衛生的に被処理物の殺菌処理は行われる。
【００１３】
又、前記容器は開閉自在に結合される二つの略器状体に分割形成されているので、両略器状体を開閉して同容器の内部に被処理物を容易に出し入れすることができる。そして、両略器状体の内部各々に被処理物を個別に保持する保持部が配設されるので、複数の被処理物を効率良く殺菌処理することができ、殺菌処理後に両略器状体を分割する際には、両略器状体の内部各々に被処理物が収容保持されていて、各被処理物には手を触れることなく、各被処理物を衛生的に且つ簡単に取り扱うことができる。
【００１４】
本発明の請求項２記載の殺菌装置は、上記請求項１記載の殺菌装置において、紫外線を透過させない材料で容器を形成したことを特徴とするものである。
【００１５】
したがって、この場合は特に、容器が紫外線を透過させない材料で形成されるので、殺菌処理中に紫外線は同容器の外部に漏出することがなく安全である。
【００１６】
本発明の請求項３記載の殺菌装置は、上記請求項１又は２記載の殺菌装置において、容器を上下に二つの略器状体に分割形成したことを特徴とするものである。
【００１７】
したがって、この場合は特に、容器が上下に二つの略器状体に分割形成されるので、同容器を分割して開ける際に、下側の略器状体を置いた状態で分割することができ、より取り扱い易くなる。
【００１８】
本発明の請求項４記載の殺菌装置は、上記請求項３記載の殺菌装置において、下側の略器状体の底部に排水孔を形成したことを特徴とするものである。
【００１９】
したがって、この場合は特に、下側の略器状体の底部に排水孔が形成されるので、被処理物を水洗い後直ちに容器内に収容しても、同排水孔から水分は排水除去され衛生的であり、しかも、マイクロ波による水蒸気の発生が防止され、発生したとしてもこの水蒸気による圧力や膨張する空気による圧力は同排水孔から逃がされて、同容器にかかる内部圧力による負荷が低減され、この容器の破損や劣化は防止される。
【００２０】
本発明の請求項５記載の殺菌装置は、上記請求項１〜４のいずれか一つに記載の殺菌装置において、両略器状体の内底部の略中央各々にバルブ支持部で支持される無電極放電バルブを配設し、この無電極放電バルブを被処理物が覆う状態でこの被処理物を保持する保持部を同バルブ支持部の周囲に形成したことを特徴とするものである。
【００２１】
したがって、この場合は特に、両略器状体の内底部の略中央各々に無電極放電バルブが配設され、各被処理物は両無電極放電バルブを各々覆う状態で保持されるので、各被処理物の内側となる被処理面が同無電極放電バルブと確実に対向されて効果的に殺菌処理される。
【００２２】
本発明の請求項６記載の殺菌装置は、上記請求項１〜５のいずれか一つに記載の殺菌装置において、無電極放電バルブを有し、別の被処理物に取着され、この被処理物の被処理面に紫外線を照射することにより同被処理面の殺菌処理を行う補助殺菌装置を備え、この補助殺菌装置を容器の内部に出し入れ自在に収容したことを特徴とするものである。
【００２３】
したがって、この場合は特に、補助殺菌装置によって別の被処理物の被処理面を紫外線により殺菌処理することができ、同補助殺菌装置は容器の内部に出し入れ自在に収容されてコンパクトに片づけられ、使い勝手も良好となる。
【００２４】
本発明の請求項７記載の殺菌装置は、上記請求項１〜３のいずれか一つに記載の殺菌装置において、容器の内部中程にバルブ支持部で支持される無電極放電バルブを設け、この無電極放電バルブに複数の被処理物が対向配置された状態で各被処理物を個別に保持する保持部を配設したことを特徴とするものである。
【００２５】
したがって、この場合は特に、容器の内部中程に位置する無電極放電バルブに対して、複数の被処理物が対向配置された状態で保持されるので、同無電極放電バルブによって複数の被処理物はより効率的に殺菌処理される。
【００２６】
【発明の実施の形態】
図１〜６は、本発明の請求項１〜３、５に対応した第一の実施形態である殺菌装置を示している。この実施形態の殺菌装置は、紫外線を被処理物１の被処理面に照射することにより被処理面の殺菌処理を行うものである。この実施形態の殺菌装置では、マイクロ波が照射されることによりこのマイクロ波のエネルギーを受けて紫外線を放出する物質を内部に収容した無電極放電バルブ２と、この無電極放電バルブ２を支持するバルブ支持部３と、被処理物１の被処理面が同無電極放電バルブ２の紫外線放出面と対向するようにこの被処理物１を保持する保持部４と、を有している。
【００２７】
そして、マイクロ波を透過させる材料で形成されて内部にバルブ支持部３を有した容器５を備え、この容器５を開閉自在に結合される二つの略器状体５ａ、５ｂに分割形成し、両略器状体５ａ、５ｂの内部各々に被処理物１ａ、１ｂを個別に保持する保持部４ａ、４ｂを配設している。この場合、紫外線を透過させない材料で容器５を形成し、この容器５を上下に二つの略器状体５ｂ、５ａに分割形成している。又、両略器状体５ａ、５ｂの内底部の略中央各々にバルブ支持部３で支持される無電極放電バルブ２を配設し、この両無電極放電バルブ２を両被処理物１ｂ、１ａが各々覆う状態で、この両被処理物１ｂ、１ａを各々個別に保持する保持部４ａ、４ｂを同バルブ支持部３の周囲に形成している。
【００２８】
以下、この実施形態の殺菌装置について、より具体的に説明する。図１、２に示す如く、殺菌装置の外殻は、縦方向が略卵形状の断面を有し、横方向が略円形状の断面を有する容器５で形成されている。この容器５は上下に分割形成される略器状体５ｂ、５ａでなり、両略器状体５ａ、５ｂが各開口縁部分において着脱自在に嵌着結合されることで、中空状の容器５となる。そして、中空状の容器５の内部には、無電極放電バルブ２及びこれを支持するバルブ支持部３と、被処理物１を保持する保持部４と、が備わっている。
【００２９】
無電極放電バルブ２は、長手方向の両端部が密閉された略円筒状の中空ガラス管の内部に、水銀蒸気等の紫外線放出物質を封入したものであり、マイクロ波の電界エネルギーを受けて励起された水銀原子等から放出される紫外線を、容器５の内部へ向かって照射するようにバルブ支持部３で支持されている。この場合には、容器５となる両略器状体５ａ、５ｂの内底部分の各々にバルブ支持部３が配設固定されており、両バルブ支持部３で支持される二つの無電極放電バルブ２は同容器５の内部で上下に対向配置されている。
【００３０】
容器５となる両略器状体５ａ、５ｂは、いずれもマイクロ波を透過させるが紫外線を透過させない材料、例えばフッ素系樹脂等で形成されている。この場合、少なくとも上側に位置してカバーとなる略器状体５ｂは、可視光を透過させるものであることが好ましい。又、両略器状体５ａ、５ｂの内面或いは外面の少なくとも一部分に蛍光物質を塗布しておいたり、同両略器状体５ａ、５ｂの材料中に蛍光物質を混入しておいたりすることが好ましい。そして、下側に位置してベースとなる略器状体５ａの底部外周には複数の脚片８が突設され、各脚片８によって容器５は載置保持される。
【００３１】
無電極放電バルブ２を支持するバルブ支持部３は、支持基板１０の表面に対の支持片１１を突設して形成されている。この場合に、支持基板１０の表面に無電極放電バルブ２の筒外周略半周分を埋設する凹所が形成され、支持片１１の内側面及び同凹所の内面を同無電極放電バルブ２の外面に密接させた状態で、これ等は一体化形成されてもよい。又、その際、無電極放電バルブ２の外周面に予めフッ素系樹脂をコーティングしておいて一体成形してもよく、そうすることで、万一、同無電極放電バルブ２が外力等で破損した場合に、その破片の飛散は同コーティング膜で防止されて安全である。
【００３２】
又、支持基板１０及び支持片１１は耐熱温度が２００℃以上のフッ素系の熱硬化性樹脂でなり、無電極放電バルブ２を支持した状態でこれと一体成形され、バルブ支持部３に同無電極放電バルブ２は確実に支持固定される。そして、支持基板１０が各略器状体５ａ、５ｂの内底部分に形成された略筒状の支持基台９に取着されることにより、容器５となる両略器状体５ａ、５ｂの内底部分の各々にバルブ支持部３は配設固定され、これによって、両バルブ支持部３で支持される二つの無電極放電バルブ２が同容器５の内部で上下方向に対向配置される。
【００３３】
前記バルブ支持部３で支持された無電極放電バルブ２は、支持片１１で包持された両端部以外の部分が露出して（前記支持基板１０の凹所に埋設される場合、この埋設される部分は露出しない）、この露出部分は紫外線放出面となり被処理物１の被処理面に対向して紫外線を放出する。この場合、容器５は比較的薄肉の一定厚に形成されており、マイクロ波の吸収による温度上昇が防止される。特に、無電極放電バルブ２を支持するバルブ支持部３及び支持基台９では、同無電極放電バルブ２の発光に伴う発熱を生じるが、この支持部位における肉厚を支持強度が保持される程度で薄肉に形成することにより、ここでの温度上昇を防止することもできる。
【００３４】
このように、容器５の温度上昇を防止することによって、その材料の劣化が防止され、同容器５を手で持つユーザーに対する熱の負担も軽減され、被処理物１の温度上昇も抑えられるため、殺菌処理後に同被処理物１をより取り扱い易くなる。なお、ここでは、殺菌処理される被処理物１の一例として、哺乳瓶の乳首１ａ及びこの乳首１ａを哺乳瓶本体となる瓶の開口に取り付けるための取付具１ｂ、を示しているが、被処理物１は哺乳瓶やその部品に限られず、殺菌処理が必要で容器５内に収容されて保持部４ａ、４ｂで個別に保持されるものであればよい。
【００３５】
取付具１ｂを保持する一方の保持部４ａは、下側の略器状体５ａの内部に配設されている。この一方の保持部４ａは、バルブ支持部３の周囲に配設される複数の保持片１２を有し、各保持片１２には取付具１ｂの下端開口縁部分を係合保持する開口部１３が形成されており、各開口部１３は上方に開口していてその内部に同取付具１ｂの下端開口縁部分が上方から挿合されて係合保持される。この場合、開口部１３の開口内側縁に凸起１４が形成されており、取付具１ｂの内周ネジ面を同凸起１４に係合させることによって確実に位置決めして係合保持させることができる。
【００３６】
又、この場合、図３に示す如く、取付具１ｂを保持する一方の保持部４ａをネジ管状に形成してもよい。すなわち、下側の略器状体５ａの内底部分に突設される略円筒状の支持基台９の外周面に雄ネジ部１８を形成し、この雄ネジ部１８に取付具１ｂの内周の雌ネジ部１７を螺合させることによって、保持部４ａに同取付具１ｂが係合保持されるようになしてもよい。この場合には、取付具１ｂが保持部４ａによって、より確実に位置決めされ係合保持される。
【００３７】
乳首１ａを保持する他方の保持部４ｂは、上側の略器状体５ｂの内部に配設されている。この他方の保持部４ｂは、略器状体５ｂの内周面に突設される複数の係止爪片１５で形成されている。複数の係止爪片１５上には乳首１ａの周縁鍔部分が係止され、これにより同乳首１ａが保持部４ｂに係合保持される。このように、乳首１ａ及び取付具１ｂである被処理物１は、保持部４（４ｂ、４ａ）に係合保持されることで、無電極放電バルブ２との所定の位置関係が確保されて、この無電極放電バルブ２から受ける紫外線量は一定となり、所望の殺菌効果を安定して得ることができる。
【００３８】
そして、図１、２に示す如く、下側の略器状体５ａに上側の略器状体５ｂを嵌着結合することにより、両略器状体５ａ、５ｂでなる容器５が閉じられる。この場合、両略器状体５ａ、５ｂの開口縁部分には相互に嵌合される係合部１６が形成され、この係合部１６同士を嵌着させることにより、両略器状体５ａ、５ｂは結合され容器５が閉じられる。なお、係合部１６は相互に螺着結合されるものであってもよく、この場合は、両略器状体５ａ、５ｂを相互に回動させることにより、両者を容易且つ確実に着脱させて容器５を開閉することができる。
【００３９】
又、殺菌処理状態では、図２に示す如く、下側の無電極放電バルブ２から放出される紫外線αが、被処理物１である取付具１ｂの内面、及び、この取付具１ｂの取付開口１９を通過して乳首１ａの外面に照射され、上側の無電極放電バルブ２から放出される紫外線αは、被処理物１である乳首１ａの内面に照射されて、両被処理物１（乳首１ａ、取付具１ｂ）の被処理面は効率的に殺菌処理される。
【００４０】
ところで、図１、２では、両略器状体５ａ、５ｂの内部各々に被処理物１となる取付具１ｂ及び乳首１ａを個別に保持させた状態を示しているが、この実施形態の殺菌装置では、図４、５に示す如く、両被処理物１（乳首１ａ、取付具１ｂ）を合体させた状態で容器５内に収容保持させることもできる。この場合、乳首１ａを取付具１ｂに装着した状態として、下側の略器状体５ａに配設された保持部４ａに前記と同様に同取付具１ｂを係合保持させればよい。
【００４１】
このように、この実施形態の殺菌装置では、両被処理物１となる乳首１ａと取付具１ｂとを分割した状態でも合体した状態でも容器５内に収容保持させることができるので、合体状態では重なりあって紫外線が照射され難い部分でも、分割させることで同照射され難い部分にも紫外線は照射されるようになり、十分な殺菌処理を行うことができる。又、両被処理物１となる乳首１ａと取付具１ｂとを合体状態で容器５内に出し入れすることができると、その取り扱いは簡便となり、乳幼児の口内に入れられる乳首１ａに手を触れることなく、図５に示す如く、取付具１ｂを手で持ってより衛生的に取り扱うことができる。
【００４２】
例えば、日常的には、両被処理物１となる乳首１ａと取付具１ｂとを合体した状態で簡便に殺菌処理することができ、その際、乳幼児の口内に入れられる乳首１ａに手を触れることなく、取付具１ｂを手で持って衛生的に取り扱うことができ、何日かの間隔をあけて、両被処理物１を分割した状態で殺菌処理することにより、合体状態では殺菌処理され難い部分を十分に殺菌処理することができ、このように必要に応じて殺菌処理方法を選択し効果的な殺菌処理を行うことができ、中毒菌の付着や移行、繁殖は確実に防止される。
【００４３】
次に、この殺菌装置の使用方法について説明する。予め、洗剤等で洗浄された哺乳瓶の乳首１ａを、図４、５に示す如く、取付具１ｂに装着して、この取付具１ｂを保持部４ａに係合保持させることで、両被処理物１（乳首１ａ、取付具１ｂ）を下側の略器状体５ａの同保持部４ａ上に載置保持させる。或いは、図１、２に示す如く、乳首１ａを上側の略器状体５ｂの保持部４ｂに係合保持させ、取付具１ｂを下側の略器状体５ａの保持部４ａに係合保持させることで、両被処理物１（乳首１ａ、取付具１ｂ）を両略器状体５ａ、５ｂで個別に保持させる。
【００４４】
そして、下側の略器状体５ａに上側の略器状体５ｂを嵌着結合させて、両略器状体５ａ、５ｂでなる容器５を閉じる。これによって、図１、２の保持形態では、下側の無電極放電バルブ２が被処理物１となる取付具１ｂの内面及び乳首１ａの外面各々に対向し、上側の無電極放電バルブ２は被処理物１となる乳首１ａの内面に対向した状態となり、又、図４、５の保持形態では、下側の無電極放電バルブ２が両被処理物１（乳首１ａ、取付具１ｂ）の内面に対向し、上側の無電極放電バルブ２は同両被処理物１の外面に対向した状態となる。
【００４５】
前記の如く、両被処理物１が容器５の内部に収容保持された状態で、図６に示す如く、同容器５をマイクロ波発生装置である電子レンジ２０の内部底面２１上に収容載置し、扉２２を閉じてこの電子レンジ２０を起動し、マイクロ波βを同容器５に向けて照射する。マイクロ波βは容器５（両略器状体５ａ、５ｂ）を透過して、或いは、被処理物１（乳首１ａ、取付具１ｂ）をも透過することで、上下の両無電極放電バルブ２に到達する。
【００４６】
両無電極放電バルブ２に到達したマイクロ波βは、同無電極放電バルブ２の内部の水銀原子を励起し、励起された水銀原子から紫外線が放出される。紫外線は無電極放電バルブ２のガラス管を透過して外部に放出され、被処理物１の内面及び外面の各々に照射される。この場合、図１、２の保持形態では、下側の無電極放電バルブ２の紫外線放出面から放出される紫外線αが被処理物１である取付具１ｂの内面及び乳首１ａの外面に照射されて、上側の無電極放電バルブ２の紫外線放出面から放出される紫外線αは乳首１ａの内面に照射され、又、図４、５の保持形態では、下側の無電極放電バルブ２の紫外線放出面から放出される紫外線が両被処理物１の内面に照射されて、上側の無電極放電バルブ２の紫外線放出面から放出される紫外線は同両被処理物１の外面に照射される。
【００４７】
前記紫外線は、例えば、２５４ｎｍの殺菌効果を有する紫外線であり、被処理物１の内面及び外面を殺菌処理する。又、両無電極放電バルブ２から放出される紫外線によりオゾンが発生し、このオゾンは容器５の内部に封止されるので、同容器５の内部でオゾンによる殺菌処理も行われる。なお、この実施形態の殺菌装置は、特に、一般家庭にある電子レンジ２０を用いて手軽に紫外線殺菌（オゾン殺菌も同時に）を行うことができ、前記哺乳瓶の乳首１ａや取付具１ｂの他、乳幼児が口に入れるおしゃぶりや玩具等の殺菌処理にも好適に使用される。
【００４８】
一般的に、家庭用の電子レンジ２０は、マイクロ波の照射に連動してその内部底面２１上でテーブルが回転するタイプ（ターンテーブル式）のものが多いが、この場合でも、両無電極放電バルブ２は容器５となる両略器状体５ａ、５ｂに支持固定され、両被処理物１も同両略器状体５ａ、５ｂの保持部４ａ或いは保持部４ｂにて保持固定されるので、仮に、同テーブルの回転等による振動が加わったとしても、同容器５は複数の脚片８で保持されて転倒せず、両無電極放電バルブ２と同両被処理物１との相対的な位置関係も変化しないので、安定した状態で十分な殺菌処理が行われる。
【００４９】
したがって、この実施形態の殺菌装置においては、被処理物１の被処理面が無電極放電バルブ２の紫外線放出面と対向するようにこの被処理物１を保持する保持部４を有しているので、同被処理面と紫外線放出面との相対的な位置関係は安定的に保持され、この状態で電子レンジ２０内に収容設置することができる。それ故に、一般家庭にある電子レンジ２０等を用いて、手軽に且つ十分に被処理物１の殺菌処理を行うことができる。
【００５０】
しかも、容器５の内部に無電極放電バルブ２を支持するバルブ支持部３が設けられるので、この無電極放電バルブ２は同容器５内で保護されて安全であり、取り扱い易いものとなっている。更に、容器５はマイクロ波を透過させる材料で形成され、この容器５の内部に被処理物１を保持する保持部４が設けられているので、マイクロ波は同容器５を透過して無電極放電バルブ２に到達し、この無電極放電バルブ２から紫外線が放出されて、同容器５の内部で確実に且つ衛生的に被処理物１の殺菌処理は行われる。
【００５１】
又、前記容器５は開閉自在に結合される二つの略器状体５ａ、５ｂに分割形成されているので、両略器状体５ａ、５ｂを着脱開閉して同容器５の内部に被処理物１を容易に出し入れすることができる。そして、両略器状体５ａ、５ｂの内部各々に被処理物１である哺乳瓶の取付具１ｂ及び乳首１ａを個別に保持する保持部４ａ、４ｂが配設されているので、図１、２に示す如く、この乳首１ａと取付具１ｂとを分割状態で保持させて、同乳首１ａ及び取付具１ｂを効率良く殺菌処理することができる。
【００５２】
その際、容器５が紫外線を透過させない材料で形成されていることで、殺菌処理中に紫外線は同容器５の外部に漏出することがなく安全である。しかも、容器５となる両略器状体５ａ、５ｂの内底部の略中央各々に無電極放電バルブ２が配設され、被処理物１である乳首１ａ及び取付具１ｂは両無電極放電バルブ２を各々覆う状態で保持されるので、この乳首１ａ及び取付具１ｂの内側となる被処理面が同無電極放電バルブ２と確実に対向されて効果的に殺菌処理される。
【００５３】
そして、殺菌処理後に両略器状体５ａ、５ｂを分割する際には、両略器状体５ａ、５ｂの内部各々に乳首１ａ及び取付具１ｂが各別に収容保持されていて、この乳首１ａ及び取付具１ｂには手を触れることなく、同乳首１ａ及び取付具１ｂを衛生的に且つ簡単に取り扱うことができる。しかも、この場合には、容器５が上下に二つの略器状体５ｂ、５ａに分割形成されていることで、同容器５を分割して開ける際、下側の略器状体５ａを置いた状態で分割することができ、より取り扱い易くなっている。
【００５４】
又、この実施形態の殺菌装置では、前記の如く、紫外線が容器５の外部に漏出することなく安全で、例えば、図６に示す如く、電子レンジ２０内で殺菌処理を行っている場合、同電子レンジ２０の扉２２の窓２２ａ等から紫外線が漏出することはなく、この殺菌処理中に同電子レンジ２０の付近にユーザーが存在しても、誤って紫外線が同ユーザーの目に入ることはなく、ユーザーに害を及ぼすこともなくて安全性が確保される。
【００５５】
しかも、前記紫外線による殺菌処理中に、容器５の内部では紫外線によりオゾンが発生し、このオゾンによる殺菌処理も行われる。この場合、紫外線による殺菌処理が終了した後も、容器５を密閉状態に維持してやれば、同容器５の内部に封止されるオゾンによる殺菌状態は継続して保持される。
【００５６】
又、この実施形態の殺菌装置において、容器５となる略器状体５ａ（５ｂ）の内面或いは外面の少なくとも一部分に蛍光物質を塗布しておくか、または、同略器状体５ａ（５ｂ）の材料に蛍光物質を混入しておけば、無電極放電バルブ２から放出される紫外線により同蛍光物質からさらに可視光線が放出される。この場合、容器５の少なくとも上側に位置する一方の略器状体５ｂを可視光線が透過されるように形成しておけば（例えば、無色透明にしておけば）、同略器状体５ｂを透過する可視光線によって、ユーザーは紫外線による殺菌処理が行われていることを認識することができ、更に、ユーザーは同略器状体５ｂを透過する可視光の明るさを観察しておくことによって、この明るさが低下したときに無電極放電バルブ２の劣化状態を確認することもできる。
【００５７】
又、この実施形態の殺菌装置において、図４、５の保持形態では、殺菌処理された後の被処理物１を容器５から取り出す際、同被処理物１が哺乳瓶の乳首１ａと取付具１ｂであり、この乳首１ａと取付具１ｂとは結合された状態にあって、同取付具１ｂを手で掴んで両者をまとめて保持部４ａから取り外すことができるので、乳幼児が直接口に入れる同乳首１ａには手が触れず、衛生的に取り出すことができる。なお、容器５となる両略器状体５ａ、５ｂの周壁部分の高さ、これと両保持部４ａ、４ｂとの位置関係や同両保持部４ａ、４ｂの形状等については、殺菌処理される被処理物１が出し入れされ易いように設計される。
【００５８】
図７は、本発明の請求項１〜５に対応した第二の実施形態である殺菌装置の要部を示している。この実施形態の殺菌装置では、下側の略器状体５ａの底部に排水孔６を形成している。この場合、下側の略器状体５ａの内底部分に突設される略円筒状の支持基台９を下方に開口形成し、この支持基台９の筒周壁下端部位に複数の排水孔６を配設している。
【００５９】
したがって、この実施形態の殺菌装置においては、下側の略器状体５ａの底部に排水孔６が形成されているので、被処理物１を水洗い後直ちに容器５内に収容しても、同排水孔６から水分は排水除去され衛生的であり、しかも、マイクロ波による水蒸気の発生が防止され、発生したとしてもこの水蒸気による圧力や膨張する空気による圧力は同排水孔６から逃がされて、同容器５にかかる内部圧力による負荷が低減され、この容器５の破損や劣化は防止される。
【００６０】
すなわち、容器５の内外に連通する孔（排水孔６）を設けることで、マイクロ波による殺菌処理中の発熱で膨張する内部空気の圧力をこの孔から逃がすことができ、被処理物１に付着する水滴が水蒸気となった際の水蒸気圧も同孔から逃がすことができ、同容器５にかかる内部圧力による負荷が低減される。又、容器５の内外に連通する孔を排水孔６としてこの容器５の底部に形成することで、被処理物１を水洗い後直ちに同容器５内に収容しても、同排水孔６から水分は排水除去され、前記内部圧力の要因となる水蒸気の発生が防止され、汚染や中毒菌の繁殖も防止されて衛生的となる。なお、それ以外は、上記第一の実施形態と同様に構成され、同第一の実施形態におけると同様の作用効果が奏される。
【００６１】
図８〜１１は、本発明の請求項１〜３、５、６に対応した第三の実施形態である殺菌装置を示している。この実施形態の殺菌装置では、無電極放電バルブ２を有し、別の被処理物１である哺乳瓶の本体１ｃの開口に取着され、この本体１ｃの被処理面となる内面に紫外線を照射することにより同内面の殺菌処理を行う補助殺菌装置７を備え、この補助殺菌装置７を容器５の内部に出し入れ自在に収容することができるようになしている。
【００６２】
この場合、図８に示す如く、補助殺菌装置７は容器５と同じ材料で略半球型器状に形成され、その内部略中央に無電極放電バルブ２が支持固定されている。そして、補助殺菌装置７は哺乳瓶の本体１ｃの開口を塞ぐようにこの開口に取着されて、この本体１ｃの内部に無電極放電バルブ２が対向される。その際、補助殺菌装置７の内部周面には複数の凸リブ２４が配設され、各凸リブ２４の内縁には係合凸起２５が形成されていて、各係合凸起２５が哺乳瓶の本体１ｃの開口に突設された雄ネジ筒部２３の外側に螺合されることで、この本体１ｃと同補助殺菌装置７の無電極放電バルブ２とは所定の位置関係となり、この補助殺菌装置７が同本体１ｃの開口に確実に取着される。
【００６３】
又、補助殺菌装置７の外周縁部分には外側へ突出した鍔状片２６が突設されており、図９、１０に示す如く、容器５内に収容される際、この容器５となる両略器状体５ａ、５ｂ間に同鍔状片２６は挟持される。これによって、補助殺菌装置７は容器５内に動かないよう確実に収容保持される。そして、図１１に示す如く、容器５内に被処理物１となる乳首１ａ及び取付具１ｂを収容保持させて（乳首１ａ及び取付具１ｂを両略器状体５ａ、５ｂの内部各々に収容保持させても良い）、この容器５を電子レンジ２０内に収容設置すると共に、別の被処理物１となる哺乳瓶の本体１ｃに補助殺菌装置７を取着して、この哺乳瓶の本体１ｃを同電子レンジ２０内に収容設置することにより、同哺乳瓶の部品となる複数の被処理物１を一度に効率良く殺菌処理することができる。
【００６４】
したがって、この実施形態の殺菌装置においては、補助殺菌装置７によって別の被処理物１（哺乳瓶の本体１ｃ）の被処理面を紫外線により殺菌処理することができ、又、同補助殺菌装置７は容器５の内部に出し入れ自在に収容されてコンパクトに片づけられ、取り扱う際の使い勝手も良好となる。しかも、補助殺菌装置７が容器５の内部に収容された状態では確実に保持されて、振動等が加わっても動かず同容器５の内面に衝突することもなく、無電極放電バルブ２等の破損も防止され、安全で携帯性に優れたものとなる。
【００６５】
しかも、補助殺菌装置７が哺乳瓶の本体１ｃの開口に取着された際、その無電極放電バルブ２と同本体１ｃとは所定の位置関係となり、被処理面となるこの本体１ｃの内面が確実に殺菌処理される。又、この場合、哺乳瓶の本体１ｃを電子レンジ２０内に横向けに寝かせた状態で殺菌処理を行ってもよい。なお、それ以外は、上記第一の実施形態と同様に構成され、同第一の実施形態におけると同様の作用効果が奏される。又、この実施形態の容器５にも、上記第二の実施形態と同様に、排水孔６を形成してもよい。
【００６６】
図１２、１３は、本発明の請求項１〜３、７に対応した第四の実施形態である殺菌装置を示している。この実施形態の殺菌装置では、容器５の内部中程略中央にバルブ支持部３で支持される無電極放電バルブ２を設け、この無電極放電バルブ２に複数の被処理物１（乳首１ａ、取付具１ｂ）が対向配置された状態で各被処理物１を個別に保持する保持部４ｂ、４ａを配設している。
【００６７】
この場合、無電極放電バルブ２は単一であり、この無電極放電バルブ２をその長手方向で挟持するバルブ支持部３が上側の略器状体５ｂの下端付近に架設されている。バルブ支持部３は上側の略器状体５ｂの内周面から対向して突設される対の挟持片２７で形成され、両挟持片２７の先端間に無電極放電バルブ２が挟持固定されている。上側の略器状体５ｂの内部には保持部４ｂとして、上記第一の実施形態におけると同様の係止爪片１５の他、被処理物１となる乳首１ａを上向きにして吊り下げ挟持する複数の垂下挟持片２８が形成されている。
【００６８】
又、下側の略器状体５ａの内部には保持部４ａとして、その上に被処理物１となる取付具１ｂを載置保持する載置面が形成され、この載置面の略中央には同取付具１ｂの取付開口１９を嵌合保持する保持凸部２９が突設されている。そして、図１２の保持形態では、下側の保持部４ａに取付具１ｂを上向きで載置保持し、上側の保持部４ｂにその係止爪片１５で乳首１ａを下向きで係合保持している。又、図１３の保持形態では、下側の保持部４ａに取付具１ｂを下向きでその取付開口１９を保持凸部２９に嵌合させて載置保持し、上側の保持部４ｂにその垂下挟持片２８で乳首１ａを上向きで吊り下げ挟持させて係合保持している。
【００６９】
したがって、この実施形態の殺菌装置においては、容器５の内部中程略中央に位置する無電極放電バルブ２に対して、複数の被処理物１（乳首１ａ、取付具１ｂ）が対向配置された状態で保持されるので、同単一の無電極放電バルブ２によって複数の被処理物１はより効率的に殺菌処理され、使用する同無電極放電バルブ２の数が低減されて製造コストも抑えられる。
【００７０】
しかも、この場合、容器５の内面を紫外線反射効率の高い材料で形成することにより、図１２に示す如く、無電極放電バルブ２から放出される紫外線αは同容器５の内面で反射され、複数の被処理物１（乳首１ａ、１ｂ）の内面外面に回り込むように照射されて、より効果的な殺菌処理が行われる。なお、それ以外は、上記第一の実施形態と同様に構成され、同第一の実施形態におけると同様の作用効果が奏される。又、この実施形態の容器５にも、上記第二の実施形態と同様に、排水孔６を形成してもよい。
【００７１】
図１４は、本発明の請求項１、２、７に対応した第五の実施形態である殺菌装置を示している。この実施形態の殺菌装置では、容器５が左右に二つの略器状体５ａ、５ｂに分割形成され、同容器５の内部中程略中央にバルブ支持部３で支持される無電極放電バルブ２を設け、この無電極放電バルブ２に複数の被処理物１（乳首１ａ、取付具１ｂ、哺乳瓶の本体１ｃ）が対向配置された状態で各被処理物１を個別に保持する保持部４ｂ、４ａ、４ｃを配設している。
【００７２】
この場合、無電極放電バルブ２は単一であり、この無電極放電バルブ２をその長手方向で片持ち支持するバルブ支持部３が片側の略器状体５ａの開口端付近に設けられている。バルブ支持部３は片側の略器状体５ａの内周面から突設される突出片３０で形成され、この突出片３０の先端に無電極放電バルブ２の一端部が片持ち状に支持固定されている。他側の略器状体５ｂの内部には保持部４ｂとして、上記第一の実施形態におけると同様の係止爪片１５の他、被処理物１となる乳首１ａの開口縁内側部分を係止する複数の垂下挟持片２８が突設されており、この各垂下挟持片２８と各係止爪片１５とが対向してその間で同乳首１ａの開口縁部分を挟持する。
【００７３】
又、片側の略器状体５ａの内部には保持部４ａとして、その内底面に被処理物１となる取付具１ｂを係合保持する凸段部３１が形成され、この凸段部３１の外側に同取付具１ｂはその内周ネジ面が螺合されて保持される。更に、片側の略器状体５ａの周壁部分には保持部４ｃとして、嵌合筒部３２が外方へ突設されており、この嵌合筒部３２は被処理物１となる哺乳瓶の本体１ｃの開口の雄ネジ筒部２３の外側に嵌合され、これによって、同哺乳瓶の本体１ｃの開口部分に容器５全体が嵌合支持される。その際、哺乳瓶の本体１ｃの開口からその内面が、被処理面として無電極放電バルブ２と対向される。
【００７４】
そして、被処理物１となる乳首１ａ及び取付具１ｂをその各上側面が無電極放電バルブ２に向くように各々保持部４ｂ、４ａに係合保持させ、両略器状体５ａ、５ｂを結合させて容器５を閉じ、保持部４ｃを哺乳瓶の本体１ｃの開口部分に嵌合させて、この哺乳瓶の本体１ｃに同容器５を嵌合保持させる。このように、哺乳瓶の本体１ｃと乳首１ａ及び取付具１ｂが収容保持された容器５とを合体させた状態で、電子レンジ２０内に収容設置して殺菌処理を行うことができる。又、この場合、哺乳瓶の本体１ｃ及び容器５を、電子レンジ２０内に横向けに寝かせた状態に収容設置して殺菌処理を行ってもよい。
【００７５】
したがって、この実施形態の殺菌装置においては、容器５の内部中程略中央に位置する無電極放電バルブ２に対して、複数の被処理物１（乳首１ａ、取付具１ｂ、哺乳瓶の本体１ｃ）が対向配置された状態で保持されるので、同単一の無電極放電バルブ２によって複数の被処理物１はより効率的に殺菌処理され、上記第三の実施形態で示したような補助殺菌装置７も必要とせず、使用する同無電極放電バルブ２の数が低減されて製造コストも抑えられる。なお、それ以外は、上記第四の実施形態と同様に構成され、同第四の実施形態におけると同様の作用効果が奏される。
【００７６】
図１５は、本発明の請求項１〜３、７に対応した第六の実施形態である殺菌装置を示している。この実施形態の殺菌装置では、容器５が上下に二つの略器状体５ａ、５ｂに分割形成され、同容器５の内部中程の上下に各々バルブ支持部３で支持される二つの無電極放電バルブ２を配設し、この両無電極放電バルブ２に複数の被処理物１（乳首１ａ、取付具１ｂ、哺乳瓶の本体１ｃ）が対向配置された状態で各被処理物１を個別に保持する保持部４ｂ、４ａ、４ｃを配設している。
【００７７】
この場合、被処理物１となる取付具１ｂが上側の略器状体５ａの内部に収容保持され、乳首１ａは下側の略器状体５ｂの内部に収容保持され、この下側の略器状体５ｂの底部分に哺乳瓶の本体１ｃが嵌合保持されるもので、この哺乳瓶の本体１ｃを下側にして、或いは、容器５となる同上側の略器状体５ａを下側にして、電子レンジ２０内に収容設置し殺菌処理を行うことができる。ここで、哺乳瓶の本体１ｃと乳首１ａ及び取付具１ｂを収容保持した容器５との重量関係において、重い方を下側にして設置することが安定性の面で好ましい。又、哺乳瓶の本体１ｃ及び容器５を、電子レンジ２０内に横向けに寝かせた状態に収容設置して殺菌処理を行ってもよい。
【００７８】
又、上側の略器状体５ａの内底面略中央には、取付具１ｂを係合保持する保持部４ａとして凸段部３１が突設され、この凸段部３１の略中央に一方のバルブ支持部３として突出片３０が、同取付具１ｂの取付開口１９を通るように突設されており、この突出片３０の先端には一つの無電極放電バルブ２が保持固定されている。下側の略器状体５ｂの内部中程には、対の挟持片２７でなる他方のバルブ支持部３が架設されており、両挟持片２７の先端間にもう一つの無電極放電バルブ２が挟持固定され、この無電極放電バルブ２の上側には、乳首１ａを係合保持する保持部４ｂとして上記第一の実施形態におけると同様の係止爪片１５が形成されている。
【００７９】
そして、前記下側の略器状体５ｂの底部分には保持部４ｃとして、嵌合開口部３３が開口形成されており、この嵌合開口部３３は被処理物１となる哺乳瓶の本体１ｃの開口の雄ネジ筒部２３の外側に嵌合され、これによって、同哺乳瓶の本体１ｃの開口部分に容器５全体が嵌合支持される。その際、哺乳瓶の本体１ｃの開口からその内面が、被処理面として前記下側のもう一つの無電極放電バルブ２と対向される。このように、哺乳瓶の本体１ｃと乳首１ａ及び取付具１ｂが収容保持された容器５とを合体させた状態で、電子レンジ２０内に収容設置して殺菌処理が行われる。
【００８０】
したがって、この実施形態の殺菌装置においては、容器５の内部中程に位置する二つの無電極放電バルブ２に対して、複数の被処理物１（乳首１ａ、取付具１ｂ、哺乳瓶の本体１ｃ）が対向配置された状態で保持されるので、同二つの無電極放電バルブ２によって複数の被処理物１はより効率的に殺菌処理され、上記第三の実施形態で示したような補助殺菌装置７も必要としない。なお、それ以外は、上記第五の実施形態と同様に構成され、同第五の実施形態におけると同様の作用効果が奏される。
【００８１】
【発明の効果】
上述の如く、本発明の請求項１記載の殺菌装置においては、被処理物が保持部で保持されることで、同被処理物の被処理面と無電極放電バルブの紫外線放出面との相対的な位置関係は安定的に保持され、この状態で電子レンジ内に収容設置して、手軽に且つ十分に同被処理面の殺菌処理を行うことができる。又、無電極放電バルブは容器内で保護され安全で取り扱い易く、しかも、同容器の内部で確実に且つ衛生的に複数の被処理物の殺菌処理を効率良く行うことができる。更には、殺菌処理後に容器を分割して、各被処理物を衛生的に且つ簡単に取り扱うことができる。
【００８２】
又、本発明の請求項２記載の殺菌装置においては、特に、容器が紫外線を透過させない材料で形成されて、殺菌処理中に紫外線は同容器の外部に漏出することがなく安全である。
【００８３】
又、本発明の請求項３記載の殺菌装置においては、特に、容器が上下の略器状体に分割形成されて、同容器は下側の略器状体を置いた状態で分割することができてより取り扱い易くなる。
【００８４】
又、本発明の請求項４記載の殺菌装置においては、特に、排水孔から水分が排水除去されて衛生的であり、しかも、容器にかかる内部圧力による負荷は低減されてその破損や劣化が防止される。
【００８５】
又、本発明の請求項５記載の殺菌装置においては、特に、各被処理物が無電極放電バルブを覆う状態で保持され、各々の被処理面は同無電極放電バルブと確実に対向されて効果的に殺菌処理される。
【００８６】
又、本発明の請求項６記載の殺菌装置においては、特に、補助殺菌装置によって別の被処理物を殺菌処理することができ、同補助殺菌装置は容器の内部にコンパクトに片づけられて使い勝手も良好となる。
【００８７】
又、本発明の請求項７記載の殺菌装置においては、特に、無電極放電バルブに対し複数の被処理物が対向配置された状態で保持されて、各被処理物は同無電極放電バルブによってより効率的に殺菌処理される。
【図面の簡単な説明】
【図１】本発明の第一の実施形態である殺菌装置を示す一部切欠斜視図。
【図２】同殺菌装置を示す断面図。
【図３】同殺菌装置において採用し得る別形態の保持部を例示する要部断面図。
【図４】同殺菌装置において下側の略器状体に二つの被処理物を保持させた状態を示す斜視図。
【図５】同二つの被処理物を着脱させる状態を示す斜視図。
【図６】同殺菌装置を電子レンジ内に収容設置した使用状態を示す斜視図。
【図７】本発明の第二の実施形態である殺菌装置を示す要部断面図。
【図８】本発明の第三の実施形態である殺菌装置において補助殺菌装置を被処理物に取り付ける状態を示す斜視図。
【図９】同補助殺菌装置を容器内に収容する状態を示す斜視図。
【図１０】同補助殺菌装置が容器内に収容された状態を示す斜視図。
【図１１】同殺菌装置及び補助殺菌装置を電子レンジ内に収容設置した使用状態を示す斜視図。
【図１２】本発明の第四の実施形態である殺菌装置を示す斜視図。
【図１３】同殺菌装置における被処理物の別の保持状態を示す斜視図。
【図１４】本発明の第五の実施形態である殺菌装置を示す斜視図。
【図１５】本発明の第六の実施形態である殺菌装置を示す斜視図。
【図１６】従来例である殺菌装置の使用状態を示す正面図。
【符号の説明】
１  被処理物
１ａ  乳首
１ｂ  取付具
１ｃ  哺乳瓶の本体
２  無電極放電バルブ
３  バルブ支持部
４  保持部
４ａ  取付具の保持部
４ｂ  乳首の保持部
４ｃ  哺乳瓶の本体の保持部
５  容器
５ａ  略器状体（取付具側）
５ｂ  略器状体（乳首側）
６  排水孔
７  補助殺菌装置
【図１】
2004154340.tif 000003
【図２】
2004154340.tif 000004
【図３】
2004154340.tif 000005
【図４】
2004154340.tif 000006
【図５】
2004154340.tif 000007
【図６】
2004154340.tif 000008
【図７】
2004154340.tif 000009
【図８】
2004154340.tif 000010
【図９】
2004154340.tif 000011
【図１０】
2004154340.tif 000012
【図１１】
2004154340.tif 000013
【図１２】
2004154340.tif 000014
【図１３】
2004154340.tif 000015
【図１４】
2004154340.tif 000016
【図１５】
2004154340.tif 000017
【図１６】
2004154340.tif 000018